【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
画像を符号化して生成されたビットストリームを復号する画像復号装置であって、当該ビットストリームに含まれる、前記画像内の復号対象のブロックに対応する符号化データを復号する画像復号装置であって、
前記復号対象のブロックが予測符号化されているか、パレット符号化されているかを判定する第１判定手段と、
前記第１判定手段によって前記復号対象のブロックがパレット符号化されていると判定された場合に、前記復号対象のブロック内の画素がエスケープ符号化されているか否かを判定する第２判定手段と、
前記第１判定手段によって前記復号対象のブロックが予測符号化されていると判定された場合、前記ビットストリームから復号される情報に基づいて前記復号対象のブロックに対応する第１量子化パラメータを導出し、その第１量子化パラメータを用いて前記復号対象のブロックを復号し、
前記第１判定手段によって前記復号対象のブロックがパレット符号化されていると判定された場合であって、前記第２判定手段によって前記復号対象のブロック内の画素がエスケープ符号化されていると判定された場合、前記ビットストリームから復号される情報に基づいて前記復号対象のブロックに対応する第１量子化パラメータを導出し、その第１量子化パラメータを補正することで得られる第２量子化パラメータを用いて、前記復号対象のブロックを復号する復号手段と
を備えることを特徴とする画像復号装置。
【請求項２】
前記第１判定手段によって前記復号対象のブロックが予測符号化されていると判定された場合に、前記復号対象のブロックに対応する符号化データを復号することにより変換係数を取得し、前記ビットストリームに含まれる前記第１量子化パラメータを用いて、前記取得した変換係数に対して逆量子化処理を施す第２復号手段を備える
ことを特徴とする請求項１に記載の画像復号装置。
【請求項３】
前記復号手段は、前記復号対象のブロック内の画素の画素値に対応する符号化データを復号することにより前記画素の画素値を取得し、前記第２量子化パラメータを用いて、前記取得した画素値に対して逆量子化処理を施す
ことを特徴とする請求項１又は２に記載の画像復号装置。
【請求項４】
更に、前記第２判定手段によって前記復号対象のブロック内の画素がエスケープ符号化されていないと判定された場合、前記パレット符号化する場合に用いられたパレットのインデックスを示すデータを復号することによって、前記復号対象のブロック内の画素の画素値を復号する第２の復号手段を有する
ことを特徴とする請求項１〜３のいずれか１項に記載の画像復号装置。
【請求項５】
前記復号手段は、前記第２判定手段によって前記復号対象のブロック内の画素がエスケープ符号化されていると判定された場合、前記パレットを用いずに、前記復号対象のブロック内の画素の画素値を復号する
ことを特徴とする請求項４に記載の画像復号装置。
【請求項６】
前記第２量子化パラメータは、前記復号対象のブロックに対応する符号化データのビット深度及び／又は、画素値の取り得る範囲と予測誤差の取り得る範囲との違いに基づいて、前記第１量子化パラメータを補正することで得られる
ことを特徴とする請求項１〜５のいずれか１項に記載の画像復号装置。
【請求項７】
前記第２量子化パラメータは、量子化ステップを１以上にするよう前記第１量子化パラメータを補正することで得られる
ことを特徴とする請求項１〜６のいずれか１項に記載の画像復号装置。
【請求項８】
更に、前記復号対象のブロックが量子化又は逆量子化されているか否かを判定する第３判定手段を有し、
前記第２判定手段によって前記復号対象のブロック内の画素がエスケープ符号化された場合であって、且つ、前記第３判定手段によって前記復号対象のブロックが量子化又は逆量子化されていないと判定された場合、前記第１量子化パラメータは符号化又は復号されない
ことを特徴とする請求項１〜７のいずれか１項に記載の画像復号装置。
【請求項９】
画像内の符号化対象のブロックを符号化する画像符号化装置であって、
前記符号化対象のブロックを予測符号化するか、パレット符号化するかを判定する第１判定手段と、
前記第１判定手段によって前記符号化対象のブロックをパレット符号化すると判定された場合に、前記符号化対象のブロック内の画素をエスケープ符号化するか否かを判定する第２判定手段と、
前記第１判定手段によって前記符号化対象のブロックが予測符号化すると判定された場合、第１量子化パラメータを用いて前記符号化対象のブロックを符号化し、
前記第１判定手段によって前記符号化対象のブロックがパレット符号化されていると判定された場合であって、前記第２判定手段によって前記符号化対象のブロック内の画素をエスケープ符号化すると判定された場合、前記第１量子化パラメータを補正することで得られる第２量子化パラメータを用いて、前記符号化対象のブロックを符号化する符号化手段と
を備え、
前記符号化手段は、前記第２の量子化パラメータを用いて前記符号化対象のブロックを符号化する場合であっても、前記第１の量子化パラメータを符号化する
ことを特徴とする画像符号化装置。
【請求項１０】
更に、前記第１判定手段によって前記符号化対象のブロックを予測符号化すると判定された場合に、前記符号化対象のブロックに予測処理及び直交変換処理を施すことにより変換係数を取得し、当該取得した変換係数に対して前記第１量子化パラメータを用いて量子化処理を施す第２符号化手段を備える
ことを特徴とする請求項９に記載の画像符号化装置。
【請求項１１】
前記符号化手段は、前記符号化対象のブロック内の画素の画素値に対して、前記第２量子化パラメータを用いて量子化処理を施す
ことを特徴とする請求項９又は１０に記載の画像符号化装置。
【請求項１２】
更に、前記第２判定手段によって前記符号化対象のブロックをエスケープ符号化すると判定された場合、前記パレット符号化する場合に用いられるパレットのインデックスを示すデータを符号化することによって、前記符号化対象のブロックを符号化する第２の符号化手段を有する
ことを特徴とする請求項９〜１１のいずれか１項に記載の画像符号化装置。
【請求項１３】
前記符号化手段は、前記第２判定手段によって前記符号化対象のブロック内をエスケープ符号化すると判定された場合、前記パレットを用いずに、前記符号化対象のブロックを符号化する
ことを特徴とする請求項１２に記載の画像符号化装置。
【請求項１４】
前記第２量子化パラメータは、前記符号化対象のブロックのビット深度及び／又は、画素値の取り得る範囲と予測誤差の取り得る範囲との違いに基づいて、前記第１量子化パラメータを補正することで得られる
ことを特徴とする請求項９〜１３のいずれか１項に記載の画像符号化装置。
【請求項１５】
前記第２量子化パラメータは、量子化ステップを１以上にするよう前記第１量子化パラメータを補正することで得られる
ことを特徴とする請求項９〜１４のいずれか１項に記載の画像符号化装置。
【請求項１６】
更に、前記符号化対象のブロックが量子化又されるか否かを判定する第３判定手段を有し、
前記第２判定手段によって前記符号化対象のブロックがエスケープ符号化される場合であって、且つ、前記第３判定手段によって前記符号化対象のブロックが量子化されると判定された場合、前記第１量子化パラメータは符号化されない
ことを特徴とする請求項９〜１５のいずれか１項に記載の画像符号化装置。
【請求項１７】
画像を符号化して生成されたビットストリームを復号する画像復号方法であって、当該ビットストリームに含まれる、前記画像内の復号対象のブロックに対応する符号化データを復号する画像復号方法であって、
前記復号対象のブロックが予測符号化されているか、パレット符号化されているかを判定する第１判定工程と、
前記第１判定工程によって前記復号対象のブロックがパレット符号化されていると判定された場合に、前記復号対象のブロック内の画素がエスケープ符号化されているか否かを判定する第２判定工程と、
前記第１判定工程によって前記復号対象のブロックが予測符号化されていると判定された場合、前記ビットストリームから復号される情報に基づいて前記復号対象のブロックに対応する第１量子化パラメータを導出し、その第１量子化パラメータを用いて前記復号対象のブロックを復号し、
前記第１判定工程によって前記復号対象のブロックがパレット符号化されていると判定された場合であって、前記第２判定工程によって前記復号対象のブロック内の画素がエスケープ符号化されていると判定された場合、前記ビットストリームから復号される情報に基づいて前記復号対象のブロックに対応する第１量子化パラメータを導出し、その第１量子化パラメータを補正することで得られる第２量子化パラメータを用いて、前記復号対象のブロックを復号する復号工程と
を備えることを特徴とする画像復号方法
【請求項１８】
画像内の符号化対象のブロックを符号化する画像符号化方法であって、
前記符号化対象のブロックを予測符号化するか、パレット符号化するかを判定する第１判定工程と、
前記第１判定工程によって前記符号化対象のブロックをパレット符号化すると判定された場合に、前記符号化対象のブロック内の画素をエスケープ符号化するか否かを判定する第２判定工程と、
前記第１判定工程によって前記符号化対象のブロックが予測符号化すると判定された場合、第１量子化パラメータを用いて前記符号化対象のブロックを符号化し、
前記第１判定工程によって前記符号化対象のブロックがパレット符号化されていると判定された場合であって、前記第２判定工程によって前記符号化対象のブロック内の画素をエスケープ符号化すると判定された場合、前記第１量子化パラメータを補正することで得られる第２量子化パラメータを用いて、前記符号化対象のブロックを符号化する符号化工程と
を備え、
前記符号化工程において、前記第２の量子化パラメータを用いて前記符号化対象のブロックを符号化する場合であっても、前記第１の量子化パラメータを符号化する
ことを特徴とする画像符号化方法。
【請求項１９】
請求項１〜８のいずれか１項に記載の画像復号装置の各手段としてコンピュータを機能させることを特徴とするプログラム。
【請求項２０】
請求項９〜１６のいずれか１項に記載の画像符号化装置の各手段としてコンピュータを機能させることを特徴とするプログラム。
【手続補正２】
【補正対象書類名】明細書
【補正対象項目名】０００９
【補正方法】変更
【補正の内容】
【０００９】
上述の課題を解決するため、本発明の画像復号装置は、以下の構成を有する。即ち、画像を符号化して生成されたビットストリームを復号する画像復号装置であって、当該ビットストリームに含まれる、前記画像内の復号対象のブロックに対応する符号化データを復号する画像復号装置であって、前記復号対象のブロックが予測符号化されているか、パレット符号化されているかを判定する第１判定手段と、前記第１判定手段によって前記復号対象のブロックがパレット符号化されていると判定された場合に、前記復号対象のブロック内の画素がエスケープ符号化されているか否かを判定する第２判定手段と、前記第１判定手段によって前記復号対象のブロックが予測符号化されていると判定された場合、前記ビットストリームから復号される情報に基づいて前記復号対象のブロックに対応する第１量子化パラメータを導出し、その第１量子化パラメータを用いて前記復号対象のブロックを復号し、前記第１判定手段によって前記復号対象のブロックがパレット符号化されていると判定された場合であって、前記第２判定手段によって前記復号対象のブロック内の画素がエスケープ符号化されていると判定された場合、前記ビットストリームから復号される情報に基づいて前記復号対象のブロックに対応する第１量子化パラメータを導出し、その第１量子化パラメータを補正することで得られる第２量子化パラメータを用いて、前記復号対象のブロックを復号する復号手段とを備える。
【手続補正３】
【補正対象書類名】明細書
【補正対象項目名】００１０
【補正方法】変更
【補正の内容】
【００１０】
また、本発明の画像符号化装置は、以下の構成を有する。即ち、画像内の符号化対象のブロックを符号化する画像符号化装置であって、前記符号化対象のブロックを予測符号化するか、パレット符号化するかを判定する第１判定手段と、前記第１判定手段によって前記符号化対象のブロックをパレット符号化すると判定された場合に、前記符号化対象のブロック内の画素をエスケープ符号化するか否かを判定する第２判定手段と、前記第１判定手段によって前記符号化対象のブロックが予測符号化すると判定された場合、第１量子化パラメータを用いて前記符号化対象のブロックを符号化し、前記第１判定手段によって前記符号化対象のブロックがパレット符号化されていると判定された場合であって、前記第２判定手段によって前記符号化対象のブロック内の画素をエスケープ符号化すると判定された場合、前記第１量子化パラメータを補正することで得られる第２量子化パラメータを用いて、前記符号化対象のブロックを符号化する符号化手段とを備え、前記符号化手段は、前記第２の量子化パラメータを用いて前記符号化対象のブロックを符号化する場合であっても、前記第１の量子化パラメータを符号化する。